(57)【要約】【課題】釣竿取付脚を簡単に取り付けることができるとともに、部品点数を削減してコストの低減を図る。【解決手段】竿杆１に取り付けられ、魚釣用リールの釣竿取付脚Ｒ１を着脱可能に固定するリール固定装置１０である。リールシート本体１１と、リールシート本体１１に設けられ、釣竿取付脚Ｒ１が当て付けられる当付面１６と、当付面１６とで釣竿取付脚Ｒ１の端部を挟持する挟持部２０と、を備える。当付面１６と挟持部２０との間には側方に向かう開口部Ｓ１が形成されている。開口部Ｓ１を通じて釣竿取付脚Ｒ１の端部の側部を側方から進入させて、当付面１６と挟持部２０との間で釣竿取付脚Ｒ１の端部を挟持させる構成とした。【選択図】図２
2018143222.tif 000002
【特許請求の範囲】
【請求項１】
竿杆に取り付けられ、魚釣用リールの釣竿取付脚を着脱可能に固定するリール固定装置であって、
リールシート本体と、
前記リールシート本体に設けられ、前記釣竿取付脚が当て付けられる当付面と、
前記当付面とで前記釣竿取付脚の端部を挟持する挟持部と、を備え、
前記当付面と前記挟持部との間には、側方に向かう開口部が形成されており、
前記開口部を通じて前記釣竿取付脚の端部の側部を側方から進入させて、前記当付面と前記挟持部との間で前記釣竿取付脚の端部を挟持させることを特徴とするリール固定装置。
【請求項２】
竿杆に取り付けられ、魚釣用リールの釣竿取付脚を着脱可能に固定するリール固定装置であって、
リールシート本体と、
前記リールシート本体に設けられ、前記釣竿取付脚が当て付けられる当付面と、
前記当付面とで前記釣竿取付脚の端部を挟持する挟持部と、を備え、
前記当付面と前記挟持部との間には、前記釣竿取付脚の端部の着脱を可能とする開口部が形成されており、
前記当付面の法線方向から視て、前記開口部は、前記当付面上における前記リールシート本体の軸に直交する側方に開口していることを特徴とするリール固定装置。
【請求項３】
前記当付面は、前側の当付面と後側の当付面とを備え、
前記挟持部は、前側の挟持部と後側の挟持部とを備え、
前記前側の当付面と前記前側の挟持部との間に前側の開口部が形成され、前記後側の当付面と前記後側の挟持部との間に後側の開口部が形成されており、
前記前側の開口部と前記後側の開口部とは、相反する方向に開口していることを特徴とする請求項１または請求項２に記載のリール固定装置。
【請求項４】
前記リールシート本体を２つ備え、
前記２つのリールシート本体は、竿杆の軸方向に離間していることを特徴とする請求項１または請求項２に記載のリール固定装置。
【請求項５】
前記２つのリールシート本体のうち、前側のリールシート本体における前記開口部と後側のリールシート本体における前記開口部とは、相反する方向に開口していることを特徴とする請求項４に記載のリール固定装置。
【請求項６】
前記挟持部は、前記リールシート本体の一側方に片持ち支持され、他側方へ向けて帯状に延在していることを特徴とする請求項１から請求項５のいずれか１項に記載のリール固定装置。
【請求項７】
前記挟持部は、軸方向の断面形状が前記釣竿取付脚の端部の形状に対応する形状であることを特徴とする請求項１から請求項６のいずれか１項に記載のリール固定装置。
【請求項８】
前記挟持部は、径方向の断面形状が前記釣竿取付脚の端部の形状に対応する形状であることを特徴とする請求項１から請求項７のいずれか１項に記載のリール固定装置。
【発明の詳細な説明】
【技術分野】
【０００１】
本発明は、リール固定装置に関するものである。
【背景技術】
【０００２】
従来、魚釣用リールの釣竿取付脚を固定するための装置として、リール固定装置が知られている。例えば、特許文献１のリール固定装置は、リールシート本体と、リールシート本体に設けられ竿杆の軸方向に所定距離離れて対向する一対のフードと、を備えている。一対のフードは、リールシート本体の一端側に設けられる固定フードと、他端側に設けられる移動フードと、から構成されている。
【０００３】
リール固定装置に釣竿取付脚を取り付ける際には、釣竿取付脚の一端部を固定フードに挿し込み、移動フードを釣竿取付脚の他端部に向けて移動させて当該他端部を移動フードで保持する。これにより、釣竿取付脚の両端が固定フードと移動フードとによって保持され、リール固定装置に釣竿取付脚が固定される。
【先行技術文献】
【特許文献】
【０００４】
【特許文献１】特開２０１４−１１９７５号公報
【発明の概要】
【発明が解決しようとする課題】
【０００５】
しかしながら、従来のリール固定装置では、釣竿取付脚を取り付ける際に移動フードを移動させて釣竿取付脚の他端部を保持する操作を行うので、魚釣用リールやリール固定装置を持つ手指をいちいち持ち替える必要があった。このため、取り付け操作が煩雑であるという課題があった。また、移動フードが移動する構造であるため、リール固定装置の部品点数が多くなり、製品コストが高くなるという課題もあった。
【０００６】
本発明は、前記課題を解決するためになされたものであり、釣竿取付脚を簡単に取り付けることができるとともに、部品点数を削減してコストの低減を図ることができるリール固定装置を提供することを目的とする。
【課題を解決するための手段】
【０００７】
前記の課題を解決すべく鋭意研究した結果、本発明者はリールの釣竿取付脚の端部を挟持する挟持部の開口部をリールシート本体の軸に直交する側方に開口することで、釣竿取付脚の簡易な取り付けが可能となることを見出し、本発明を完成するに至った。
前記目的を達成するために本発明のリール固定装置は、竿杆に取り付けられ、魚釣用リールの釣竿取付脚を着脱可能に固定するリール固定装置である。リール固定装置は、リールシート本体と、前記リールシート本体に設けられ、前記釣竿取付脚が当て付けられる当付面と、前記当付面とで前記釣竿取付脚の端部を挟持する挟持部と、を備えている。前記当付面と前記挟持部との間には、側方に向かう開口部が形成されている。リール固定装置は、前記開口部を通じて前記釣竿取付脚の端部の側部を側方から進入させて、前記当付面と前記挟持部との間で前記釣竿取付脚の端部を挟持させる構成である。
【０００８】
このリール固定装置では、側方に向かう開口部を通じて釣竿取付脚の端部の側部を側方から挟持部に進入させて、釣竿取付脚の端部を挟持部に挟持することができる。この取り付け操作は、リール固定装置に対して相対的に魚釣用リールを動かす操作で足りるので、魚釣用リールを持つ手指およびリール固定装置（竿杆）を持つ手指をいちいち持ち替えることなく行うことができる。したがって、従来のような煩雑な取り付け操作を必要とせずに、釣竿取付脚をリール固定装置に簡単に固定することができる。
【０００９】
また、取り付け時と逆方向に釣竿取付脚の端部を挟持部から退出させることで、釣竿取付脚を挟持部から取り外すことができる。この取り外し操作も、リール固定装置に対して相対的に魚釣用リールを動かす操作で足りるので、魚釣用リールを持つ手指およびリール固定装置（竿杆）を持つ手指をいちいち持ち替えることなく行うことができる。したがって、従来のような煩雑な操作を必要とせずに、釣竿取付脚をリール固定装置から簡単に取り外すことができる。
また、従来のような移動フードを設ける必要がないので、部品点数を削減してコストの低減を図ることができる。
【００１０】
また、本発明のリール固定装置は、竿杆に取り付けられ、魚釣用リールの釣竿取付脚を着脱可能に固定するリール固定装置である。リール固定装置は、リールシート本体と、前記リールシート本体に設けられ、前記釣竿取付脚が当て付けられる当付面と、前記当付面とで前記釣竿取付脚の端部を挟持する挟持部と、を備えている。前記当付面と前記挟持部との間には、前記釣竿取付脚の端部の着脱を可能とする開口部が形成されている。前記当付面の法線方向から視て、前記開口部は、前記当付面上における前記リールシート本体の軸に直交する側方に開口している構成である。
【００１１】
このリール固定装置では、開口部を通じてリールシート本体の側方から釣竿取付脚の端部を挟持部に挟持することができる。この取り付け操作は、リール固定装置に対して相対的に魚釣用リールを動かす操作で足りるので、魚釣用リールを持つ手指およびリール固定装置（竿杆）を持つ手指をいちいち持ち替えることなく行うことができる。したがって、従来のような煩雑な取り付け操作を必要とせずに、釣竿取付脚をリール固定装置に簡単に固定することができる。
【００１２】
また、取り付け時と逆方向に釣竿取付脚の端部を挟持部から退出させることで、釣竿取付脚を取り外すことができる。この取り外し操作も、リール固定装置に対して相対的に魚釣用リールを動かす操作で足りるので、魚釣用リールを持つ手指およびリール固定装置（竿杆）を持つ手指をいちいち持ち替えることなく行うことができる。したがって、従来のような煩雑な操作を必要とせずに、釣竿取付脚をリール固定装置から簡単に取り外すことができる。
また、従来のような移動フードを設ける必要がないので、部品点数を削減してコストの低減を図ることができる。
【００１３】
また、前記したリール固定装置において、前記当付面が、前側の当付面と後側の当付面とを備え、前記挟持部が、前側の挟持部と後側の挟持部とを備え、前記前側の当付面と前記前側の挟持部との間に前側の開口部が形成され、前記後側の当付面と前記後側の挟持部との間に後側の開口部が形成されている。前記前側の開口部と前記後側の開口部とは、相反する方向に開口している。
【００１４】
このように構成することで、前側の開口部を通じてリールシート本体の一側方から釣竿取付脚の一端を進入させて釣竿取付脚の一端を挟持部に挟持することができる。また、後側の開口部を通じてリールシート本体の他側方から釣竿取付脚の他端を進入させて釣竿取付脚の他端を挟持部に挟持することができる。この取り付け操作は、リール固定装置に対して相対的に魚釣用リールを回動させる操作で足りるので、魚釣用リールを持つ手指および竿杆を持つ手指をいちいち持ち替えることなく行うことができる。したがって、従来のような煩雑な取り付け操作を必要とせずに、釣竿取付脚をリール固定装置に簡単に固定することができる。
【００１５】
また、取り付け時と逆方向に釣竿取付脚の一端を前側の一方の挟持部から退出させるとともに、釣竿取付脚の他端を他方の挟持部から退出させることで、釣竿取付脚の一端および他端を各挟持部から取り外すことができる。この取り外し操作も、リール固定装置に対して相対的に魚釣用リールを回動させる操作で足りるので、魚釣用リールを持つ手指およびリール固定装置（竿杆）を持つ手指をいちいち持ち替えることなく行うことができる。したがって、従来のような煩雑な操作を必要とせずに、釣竿取付脚をリール固定装置から簡単に取り外すことができる。
【００１６】
また、前記したリール固定装置において、前記リールシート本体を２つ備え、前記２つのリールシート本体は、竿杆の軸方向に離間している。このように構成することで、リール固定装置本体が一体に設けられているものに比べて軽量化を図ることができる。また、一対のリール固定装置本体の間隔を調整して竿杆に固定することで、釣竿取付脚Ｒ１の軸方向の大きさに対応したリール固定装置を容易に構成することができる。
【００１７】
また、前記したリール固定装置において、前記２つのリールシート本体のうち、前側のリールシート本体における前記開口部と後側のリールシート本体における前記開口部とは、相反する方向に開口している。このように構成することによって、取り付け操作および取り外し操作は、リール固定装置に対して相対的に魚釣用リールを回動させる操作で足りる。これにより、魚釣用リールを持つ手指および竿杆を持つ手指をいちいち持ち替えることなく行うことができる。したがって、従来のような煩雑な取り付け操作を必要とせずに、釣竿取付脚をリール固定装置に簡単に固定することができる。また、従来のような煩雑な操作を必要とせずに、釣竿取付脚をリール固定装置から簡単に取り外すことができる。
【００１８】
また、前記したリール固定装置において、前記挟持部は、前記リールシート本体の一側方に片持ち支持され、他側方へ向けて帯状に延在している。このように構成することで、挟持部の強度を確保しつつ弾性変形し易くすることができる。
【００１９】
また、前記したリール固定装置において、前記挟持部は、軸方向の断面形状が前記釣竿取付脚の端部の形状に対応する形状であるのがよい。また、前記挟持部は、径方向の断面形状が前記釣竿取付脚の端部の形状に対応する形状であるのがよい。このように構成することで、挟持性が高まり、リール固定装置から釣竿取付脚が外れ難くなる。これにより、魚釣操作性が高まる。
【発明の効果】
【００２０】
本発明によれば、釣竿取付脚を簡単に取り付けることができるとともに、部品点数を削減してコストの低減を図ることができるリール固定装置が得られる。
【図面の簡単な説明】
【００２１】
【図１】本発明の第１実施形態に係るリール固定装置およびこれに固定された魚釣用リールを示す側面図である。
【図２】第１実施形態に係るリール固定装置の下面を上にして示す斜視図である。
【図３】（ａ）はリール固定装置の下面図、（ｂ）は同じく側面図、（ｃ）は同じく縦断面図である。
【図４】（ａ）はリール固定装置の前面図、（ｂ）は同じく後面図である。
【図５】（ａ）は図３（ｂ）のＡ−Ａ線断面図、（ｂ）は図３（ｂ）のＢ−Ｂ線断面図、（ｃ）は図５（ａ）の断面図に相当する釣竿取付脚の前脚の挟持状態を示す断面図、（ｄ）は図５（ｂ）の断面図に相当する釣竿取付脚の後脚の挟持状態を示す断面図である。
【図６】（ａ）（ｂ）は取り付け時の操作手順を示す説明図である。
【図７】本発明の第２実施形態に係るリール固定装置およびこれに固定された魚釣用リールを示す側面図である。
【図８】第２実施形態に係るリール固定装置の下面を上にして示す斜視図である。
【図９】第２実施形態に係るリール固定装置を構成する前側の本体を示す図であり、（ａ）は左側面図、（ｂ）は右側面図、（ｃ）は下面図である。
【図１０】同じく前側の本体を示す図であり、（ａ）は前面図、（ｂ）は後面図、（ｃ）は図９（ａ）のＣ−Ｃ線断面図である。
【図１１】第１変形例のリール固定装置を示す図であり、（ａ）はリール固定装置の下面を上にして示す斜視図、（ｂ）は図３（ｂ）のＡ−Ａ線に相当する断面図、（ｃ）は同じく釣竿取付脚の前脚の挟持状態を示す断面図である。
【図１２】（ａ）は第２変形例のリール固定装置を示す図であり、下面を上にして示す斜視図、（ｂ）は第３変形例のリール固定装置を示す図であり、下面を上にして示す斜視図である。
【図１３】（ａ）（ｂ）は第２変形例のリール固定装置における取り付け時の操作手順を示す説明図である。
【図１４】第４変形例のリール固定装置を示す図であり、下面を上にして示す斜視図である。
【発明を実施するための形態】
【００２２】
以下、本発明の実施形態のリール固定装置について、図面を参照して説明する。以下の説明において、「前」側は、釣竿の竿先側を言い、「後」側は、釣竿の竿元側を言う。なお、各実施形態において、同一の部分には同一の符号を付し重複する説明は省略する。
【００２３】
（第１実施形態）
［リール固定装置の概要］
図１に示すように、リール固定装置１０は、魚釣用リールとしての魚釣用スピニングリールＲを取り付けるためのものである。リール固定装置１０には、釣竿取付脚Ｒ１が固定される。本実施形態のリール固定装置１０は、釣り人の手指で握持されるグリップを兼ねている。釣竿取付脚Ｒ１は、リール本体Ｒ２から上方へ延在する脚部Ｒ３の上端に一体に設けられ、前後方向に延在している。
リール固定装置１０は、リールシート本体（以下、本体と称する）１１と、当付面１６，１７と、前挟持部２０および後挟持部３０と、を備えている。
【００２４】
［本体］
本体１１は、図２，図３各図に示すように、前後方向に貫通する貫通孔１５が形成された筒状の部品である。貫通孔１５内に釣竿を構成する竿杆１が挿通されて、本体１１が竿杆１に外嵌されている。本体１１は、竿杆１に接着剤等で一体的に固定されている。本体１１は、竿杆１に沿って前後方向に長く形成されている。
【００２５】
本体１１は、前部１２と、後部１３と、これらの中間部となる中央部１４と、を備えている。前部１２および後部１３は、下方向を向く面が平面とされた略断面Ｄ字形状を呈しており、握持し易い形状とされている。中央部１４は、前部１２および後部１３に比べて小径とされている。これにより本体１１は、中央部１４がくびれた形状となっている。中央部１４の外周面において下方向を向く面には凹部１４ａが形成されている。凹部１４ａには、穴部１５ａが形成されている。穴部１５ａには、竿杆１の一部１ａが露出している。なお、穴部１５ａは、必ずしも設けなくてもよい。
【００２６】
なお、本体１１は、例えば、ＡＢＳ樹脂、ナイロン、ポリカーボネート等の合成樹脂材や繊維強化樹脂材、金属材で形成されている。金属材で形成した場合には、釣竿取付脚Ｒ１の挟持性および耐久性が向上する。
また、竿杆１は、例えば、炭素繊維やガラス繊維等を含む強化繊維に、エポキシ樹脂等の合成樹脂を含浸した繊維強化樹脂材で構成されており、管状体あるいは中実体として構成されている。竿杆１は、１本で構成されていてもよいし、複数の竿杆を継合する構成であってもよい。
【００２７】
［当付面］
当付面１６および当付面１７は、図３（ｃ）に示すように、本体１１の軸Ｏ１と平行に形成されている。当付面１６および当付面１７は、同一平面とされている。
当付面１６は、本体１１の前部１２の下面に形成される平らな面である。当付面１６には、釣竿取付脚Ｒ１の前脚Ｒ１１が当て付けられる。
当付面１７は、本体１１の後部１３の下面に形成される平らな面である。当付面１７には、釣竿取付脚Ｒ１の後脚Ｒ１２が当て付けられる。
【００２８】
［前挟持部］
前挟持部２０は、当付面１６とで前脚Ｒ１１を挟持する役割をなす（図１参照）。前挟持部２０は、図２，図３（ａ）に示すように、当付面１６の一部から下方に突出し、さらに左右方向（側方方向）に延びる帯状（舌片状）のものである。詳細には、前挟持部２０は、下方から視た場合、当付面１６の左縁部１６ａから当付面１６の右縁部１６ｂに向かって延びている。
【００２９】
前挟持部２０は、図４（ａ）、図５（ａ）に示すように、軸方向から視て、弧状を呈している。よって、前挟持部２０と当付面１６との間には、前脚Ｒ１１を挟持するための挟持空間部２３が形成されている。
また、前挟持部２０が弧状であることから、前挟持部２０の前端部２０ａも当付面１６と連続しておらず、前挟持部２０の前端部２０ａと当付面１６との間には、前部開口部が形成されている。同様に、前挟持部２０の後端部２０ｂは、当付面１６と連続しておらず、前挟持部２０の後端部２０ｂと当付面１６との間には後部開口部が形成されている。
よって、挟持空間部２３は、前部開口部と後部開口部とを介して前後方向に開放している。
【００３０】
前挟持部２０の左端部は、当付面１６の左縁部１６ａに連続している。一方で、前挟持部２０の右側部２１は、当付面１６の右縁部１６ｂに連続していていない。このため、前挟持部２０は、片持ち構造となっており、前挟持部２０の右側部２１と当付面１６との間が側部開口部Ｓ１となっている。
【００３１】
側部開口部Ｓ１は、本体１１の右側方に向けて開口している。つまり、側部開口部Ｓ１は、当付面１６の法線方向から視て、当付面１６上における本体１１の軸Ｏ１に直交する右側方に開口している。
よって、釣竿取付脚Ｒ１の取り付け時には、側部開口部Ｓ１から前脚Ｒ１１の側部Ｒ１１１（図６（ａ）参照）を進入させて、前挟持部２０と当付面１６とで、前脚Ｒ１１を挟持することができる。このように側部開口部Ｓ１は、前挟持部２０の挟持空間部２３に対して前脚Ｒ１１を着脱する際の着脱口として機能する。
また、前挟持部２０と当付面１６とで、前脚Ｒ１１が挟持されると、前挟持部２０の左端部を支点として、前挟持部２０は、当付面１６から離間するように弾性変形する。つまり、前挟持部２０は、弾性をもって前脚Ｒ１１を挟持する。
【００３２】
また、釣竿取付脚Ｒ１の前後方向の長さによっては、前脚Ｒ１１が挟持空間部２３に収まりきらない場合がある。この場合には、前挟持部２０の前部開口部を通じて前脚Ｒ１１を前方に突出させることができる。
なお、後部開口部は、前脚Ｒ１１の基部側（脚部Ｒ３に近い側）が延在するための空間となる。
さらに、釣竿取付脚Ｒ１の取り外し時には、側部開口部Ｓ１から前脚Ｒ１１を退出させる。この場合、前挟持部２０は、左端部を支点として当付面１６に近接し、元の形状に弾性復帰する。
【００３３】
側部開口部Ｓ１の上下方向の間隔は、前脚Ｒ１１の上下方向の厚み寸法よりも小さい寸法に設定されている。したがって、挟持空間部２３に前脚Ｒ１１が挟持されると、側部開口部Ｓ１の上下方向の間隔が前脚Ｒ１１の上下方向の厚み寸法よりも小さい寸法に閉じることとなる。したがって、挟持空間部２３から前脚Ｒ１１が抜け難くなっている。
【００３４】
前挟持部２０の軸方向の断面は、図３（ｃ）に示すように、前脚Ｒ１１の軸方向の外形状に対応している。つまり、前挟持部２０の軸方向の断面は、前脚Ｒ１１の軸方向の外形状に倣って前端部２０ａから後端部２０ｂに向けて挟持空間部２３が漸次大きくなるように形成されている。言い換えると、前挟持部２０の内面は、前側から後側に向けて下方に位置しており、下り傾斜面となっている。このため、前挟持部２０の内面と当付面１６との距離は、後方に向かうにつれて次第に大きくなり、前脚Ｒ１１の軸方向の外形状に沿ったものとなっている。このため、密着性が高まり、ガタツキ難くなっている。
【００３５】
また、前挟持部２０の径方向の断面は、図５（ａ）（ｃ）に示すように、前脚Ｒ１１の径方向の外形状に対応している。つまり、前挟持部２０の径方向の断面は、前脚Ｒ１１の径方向の外形状に倣って内面が湾曲凹状に形成されている。言い換えると、前挟持部２０の内面は、左右方向の中央部から左右両側に向けて上方に位置しており、湾曲した傾斜面となっている。このため、前挟持部２０の内面と当付面１６との距離は、中央部から左右両側に向かうにつれて次第に小さくなり、前脚Ｒ１１の径方向の外形状に沿ったものとなっている。このため、密着性が高まり、ガタツキ難くなっている。
【００３６】
［後挟持部］
後挟持部３０は、当付面１７とで後脚Ｒ１２を挟持する役割をなす（図１参照）。後挟持部３０は、図３（ａ）に示すように、下方から視た場合（当付面１６，１７の法線方向から視た場合）、本体１１の軸Ｏ１上の基準点Ｐを対称点として前後に点対称な構成である。
後挟持部３０は、前挟持部２０と同様に、当付面１７の一部から下方に突出し、さらに左右方向（側方方向）に延びる帯状（舌片状）のものである。詳細には、後挟持部３０は、下方から視た場合、当付面１７の右縁部１７ｂから当付面１７の左縁部１７ａに向かって延びている。
【００３７】
後挟持部３０は、図４（ｂ）、図５（ｂ）に示すように、後脚Ｒ１２を挟持するための挟持空間部３３を備えている。また、後挟持部３０の前端部３０ａと当付面１７との間には、前部開口部が形成されている。後挟持部３０の後端部３０ｂと当付面１７との間には、後部開口部が形成されている。これにより、挟持空間部３３が前部開口部と後部開口部とを介して前後方向に開放している。
【００３８】
また、後挟持部３０は、片持ち構造であり、後挟持部３０の左側部３１と当付面１７との間が本体１１の左側方に向けて開口する側部開口部Ｓ２となっている。つまり、側部開口部Ｓ２は、当付面１７の法線方向から視て、当付面１７上における本体１１の軸Ｏ１に直交する左側方に開口している。
よって、釣竿取付脚Ｒ１の取り付け時には、側部開口部Ｓ２から後脚Ｒ１２の側部Ｒ１２１（図６（ａ）参照）を進入させて、後挟持部３０と当付面１７とで、後脚Ｒ１２を挟持することができる。側部開口部Ｓ２は、後挟持部３０の挟持空間部３３に対して後脚Ｒ１２を着脱する際の着脱口として機能する。
また、後挟持部３０は、後脚Ｒ１２が挟持されると、後挟持部３０の左端部を支点として、当付面１７から離間するように弾性変形する。つまり、後挟持部３０は、弾性をもって後脚Ｒ１２を挟持する。
【００３９】
また、挟持空間部３３に後脚Ｒ１２が収まりきらない場合には、後挟持部３０の後部開口部を通じて後脚Ｒ１２を後方に突出させることができる。後挟持部３０においても、前部開口部は、後脚Ｒ１２の基部側（脚部Ｒ３に近い側）が延在するための空間部となる。
さらに、側部開口部Ｓ２から後脚Ｒ１２を退出させると、後挟持部３０は、右端部を支点として当付面１７に近接し、元の形状に弾性復帰する。
【００４０】
側部開口部Ｓ２の上下方向の間隔も前挟持部２０の側部開口部Ｓ１と同様に、後脚Ｒ１２の上下方向の厚み寸法よりも小さい寸法に設定されている。したがって、挟持空間部３３から後脚Ｒ１２が抜け難くなっている。
【００４１】
また、後挟持部３０の軸方向の断面は、図３（ｃ）に示すように、後脚Ｒ１２の軸方向の外形状に対応し、後端部３０ｂから前端部３０ａに向けて挟持空間部３３が漸次大きくなるように形成されている。後挟持部３０の内面と当付面１７との距離は、前方に向かうにつれて次第に大きくなり、後脚Ｒ１２の軸方向の外形状に沿ったものとなっている。このため、密着性が高まり、ガタツキ難くなっている。
【００４２】
一方、後挟持部３０の径方向の断面は、図５（ｂ）（ｄ）に示すように、後脚Ｒ１２の径方向の外形状に対応し、内面が湾曲凹状に形成されている。後挟持部３０の内面と当付面１７との距離は、中央部から左右両側に向かうにつれて一定の曲率で次第に小さくなり、後脚Ｒ１２の径方向の外形状に沿ったものとなっている。このため、密着性が高まり、ガタツキ難くなっている。
【００４３】
［リール固定装置への取り付け］
次に、リール固定装置１０への釣竿取付脚Ｒ１の取り付けについて、図６（ａ）（ｂ）を参照して説明する。
初めに、一方の手でリール固定装置１０（竿杆１）を持ち、他方の手で魚釣用スピニングリールＲを持って、リール固定装置１０の下面側に魚釣用スピニングリールＲの釣竿取付脚Ｒ１を近付る。そして、図６（ａ）に示すように、本体１１の軸Ｏ１に対して釣竿取付脚Ｒ１の軸Ｏ２を傾斜させて、前挟持部２０の側部開口部Ｓ１の右側方に前脚Ｒ１１を配置するとともに、後挟持部３０の側部開口部Ｓ２の左側方に後脚Ｒ１２を配置する。
【００４４】
その後、釣竿取付脚Ｒ１の脚部Ｒ３の軸を中心として、図６（ａ）中矢印方向に魚釣用スピニングリールＲを回動させ、側部開口部Ｓ１を通じて前脚Ｒ１１の側部Ｒ１１１を側方から挟持空間部２３に進入させる。また、側部開口部Ｓ２を通じて後脚Ｒ１２の側部Ｒ１２１を側方から挟持空間部３３に進入させる。
【００４５】
これにより、前脚Ｒ１１が当付面１６と前挟持部２０とで挟持されるとともに、後脚Ｒ１２が当付面１７と後挟持部３０とで挟持され、リール固定装置１０へ釣竿取付脚Ｒ１が固定される。
【００４６】
前脚Ｒ１１が前挟持部２０に挟持されることで、側部開口部Ｓ１の上下方向の間隔が前脚Ｒ１１の上下方向の厚み寸法よりも小さい寸法に閉じる。また、後脚Ｒ１２が後挟持部３０に挟持されることで、側部開口部Ｓ２の上下方向の間隔が後脚Ｒ１２の上下方向の厚み寸法よりも小さい寸法に閉じる。したがって、前脚Ｒ１１および後脚Ｒ１２は、抜け難い状態で挟持される。
【００４７】
また、前挟持部２０および後挟持部３０は、それぞれ弾性をもって前脚Ｒ１１，後脚Ｒ１２を挟持するので、釣竿取付脚Ｒ１の前後方向、左右方向の位置ずれを好適に防止することができる。
また、実釣時には、リール固定装置１０を握持する手指で釣竿取付脚Ｒ１を握持できるので、釣竿取付脚Ｒ１の前後方向、左右方向の位置ずれを好適に防止することができる。
【００４８】
［リール固定装置からの取り外し］
取り外し時にも、一方の手でリール固定装置１０（竿杆１）を持ち、他方の手で魚釣用スピニングリールＲを持つ。
そして、釣竿取付脚Ｒ１の脚部Ｒ３の軸を中心として取り付け時と逆方向に魚釣用スピニングリールＲを回動させ、側部開口部Ｓ１から前脚Ｒ１１を退出させる。また、側部開口部Ｓ２から後脚Ｒ１２を退出させる。
これにより、リール固定装置１０から釣竿取付脚Ｒ１が取り外される。
【００４９】
以上説明した本実施形態のリール固定装置１０では、側部開口部Ｓ１を通じて前脚Ｒ１１の側部Ｒ１１１を側方から挟持空間部２３に進入させることで、前脚Ｒ１１を前挟持部２０に挟持することができる。また、側部開口部Ｓ２を通じて後脚Ｒ１２の側部Ｒ１２１を側方から挟持空間部３３に進入させることで、後脚Ｒ１２を後挟持部３０に挟持することができる。この取り付け操作は、リール固定装置１０に対して相対的に魚釣用スピニングリールＲを回動するだけ（動かすだけ）の操作で足りる。これにより、魚釣用スピニングリールＲを持つ手指およびリール固定装置１０（竿杆１）を持つ手指をいちいち持ち替えることなく行うことができる。したがって、従来のような煩雑な取り付け操作を必要とせずに、釣竿取付脚Ｒ１をリール固定装置１０に簡単に固定することができる。
【００５０】
また、取り付け時と逆方向に側部開口部Ｓ１を通じて前脚Ｒ１１を挟持空間部２３から退出させるとともに、側部開口部Ｓ２を通じて後脚Ｒ１２を挟持空間部３３から退出させることで、釣竿取付脚Ｒ１を取り外すことができる。この取り外し操作も、リール固定装置１０に対して相対的に魚釣用スピニングリールＲを回動するだけ（動かすだけ）の操作で足りるので、魚釣用スピニングリールＲを持つ手指およびリール固定装置１０（竿杆１）を持つ手指をいちいち持ち替えることなく行うことができる。したがって、従来のような煩雑な操作を必要とせずに、釣竿取付脚Ｒ１をリール固定装置１０から簡単に取り外すことができる。
また、従来のような移動フードを設ける必要がないので、部品点数を削減してコストの低減を図ることができる。
【００５１】
また、前挟持部２０および後挟持部３０は、片持ち構造であり、帯状（舌片状）に形成されているので、前挟持部２０および後挟持部３０の強度を確保しつつ弾性変形し易く構成することができる。
【００５２】
また、前挟持部２０および後挟持部３０は、軸方向の断面形状が釣竿取付脚Ｒ１の端部の形状に対応する形状であり、また、径方向の断面形状が釣竿取付脚Ｒ１の端部の形状に対応する形状である。したがって、挟持性が高まり、リール固定装置１０から釣竿取付脚Ｒ１が外れ難くなる。これにより、魚釣操作性が高まる。
【００５３】
（第２実施形態）
次に、図７〜図１０を参照して第２実施形態のリール固定装置１０Ａについて説明する。本実施形態のリール固定装置１０Ａが前記第１実施形態と異なるところは、竿杆１の軸方向に離間配置された２つの本体１１Ａで構成されている点にある。
【００５４】
［本体］
図７，図８に示すように、２つの本体１１Ａは、前後方向に貫通する貫通孔１５Ａがそれぞれ形成された筒状の部品である。各貫通孔１５Ａ内に竿杆１が挿通されて、各本体１１Ａが竿杆１に外嵌されている。
２つの本体１１Ａは、釣竿取付脚Ｒ１が固定される距離を隔てて竿杆１の軸方向に配置され、竿杆１に接着剤等で一体的に固定されている。本実施形態では、２つの本体１１Ａを同様の構造としてある。よって、以下では、前側の本体１１Ａを例にとって説明する。
【００５５】
本体１１Ａは、図１０各図に示すように、下方向を向く面が平面とされた略断面Ｄ字形状を呈している。なお、本体１１Ａは、例えば、ＡＢＳ樹脂、ナイロン、ポリカーボネート等の合成樹脂材や繊維強化樹脂材、金属材で形成されている。金属材で形成した場合には、釣竿取付脚Ｒ１の挟持性および耐久性が向上する。
【００５６】
［当付面］
当付面１９は、図９（ａ）に示すように、本体１１Ａの軸Ｏ１１と平行に形成されている。当付面１９は、本体１１Ａの下面に形成される平らな面である。当付面１９には、釣竿取付脚Ｒ１の前脚Ｒ１１が当て付けられる。
一方、後側の本体１１Ａの当付面１９には、釣竿取付脚Ｒ１の後脚Ｒ１２が当て付けられる。
【００５７】
［挟持部］
挟持部２５は、当付面１９とで前脚Ｒ１１を挟持する役割をなす（図７参照）。挟持部２５は、図９各図、図１０各図に示すように、当付面１９の一部から下方に突出し、さらに左右方向（側方方向）に延びる帯状（舌片状）のものである。詳細には、挟持部２５は、下方から視た場合、当付面１９の左縁部１９ａから当付面１９の右縁部１９ｂに向かって延びている。
【００５８】
挟持部２５は、図１０各図に示すように、軸方向から視て、弧状を呈している。よって、挟持部２５と当付面１９との間には、前脚Ｒ１１を挟持するための挟持空間部２３Ａが形成されている。
また、挟持部２５が弧状であることから、挟持部２５の前端部２５ｂも当付面１９と連続しておらず、挟持部２５の前端部２５ｂと当付面１９との間には、前部開口部が形成されている。同様に、挟持部２５の後端部２５ｃは、当付面１９と連続しておらず、挟持部２５の後端部２５ｃと当付面１９との間には後部開口部が形成されている。よって、挟持空間部２３Ａは、前部開口部と後部開口部とを介して前後方向に開放している。後端部２５ｃは、図９（ａ）に示すように、側面視で上側から下側に向けて前方へ位置して傾斜している。なお、後端部２５ｃの傾斜は、本体１１Ａの後部に形成された傾斜部１８ａに連続している。傾斜部１８ａにより固定部１８は肉抜きされている。
【００５９】
挟持部２５の左端部は、当付面１９の左縁部１９ａに連続している。一方で、挟持部２５の右側部２５ａは、当付面１９の右縁部１９ｂに連続していていない。このため、挟持部２５は、片持ち構造となっており、挟持部２５の右側部２５ａと当付面１９との間が側部開口部Ｓ１１となっている。
【００６０】
側部開口部Ｓ１１は、本体１１Ａの右側方に向けて開口している。つまり、側部開口部Ｓ１１は、当付面１９の法線方向から視て、当付面１９上における本体１１Ａの軸Ｏ１１に直交する右側方に開口している。
よって、釣竿取付脚Ｒ１の取り付け時には、側部開口部Ｓ１１から前脚Ｒ１１の側部を進入させて、挟持部２５と当付面１９とで、前脚Ｒ１１を挟持することができる。このように側部開口部Ｓ１１は、挟持部２５の挟持空間部２３Ａに対して前脚Ｒ１１を着脱する際の着脱口として機能する。
また、挟持部２５と当付面１９とで、前脚Ｒ１１が挟持されると、挟持部２５の左端部を支点として、挟持部２５は、当付面１９から離間するように弾性変形する。つまり、挟持部２５は、弾性をもって前脚Ｒ１１を挟持する。
【００６１】
また、図７に示すように、前脚Ｒ１１は、挟持部２５の前部開口部を通じてを前方に突出する状態に挟持されるが、釣竿取付脚Ｒ１の前後方向の長さによっては、挟持空間部２３Ａ内に収まる状態で挟持することができる。
なお、後部開口部は、前脚Ｒ１１の基部側（脚部Ｒ３に近い側）が延在するための空間となる。
さらに、釣竿取付脚Ｒ１の取り外し時には、側部開口部Ｓ１１から前脚Ｒ１１を退出させる。この場合、挟持部２５は、左端部を支点として当付面１９に近接し、元の形状に弾性復帰する。
【００６２】
なお、後側の本体１１Ａでは、図８に示すように、側部開口部Ｓ１１が本体１１Ａの左側方に向けて開口している。つまり、後側の本体１１Ａにおいて、側部開口部Ｓ１１は、当付面１９の法線方向から視て、当付面１９上における本体１１Ａの軸Ｏ１１に直交する左側方に開口している。
よって、釣竿取付脚Ｒ１の取り付け時には、側部開口部Ｓ１１から後脚Ｒ１２の側部を進入させて、挟持部２５と当付面１９とで、後脚Ｒ１２を挟持することができる。後側の本体１１Ａにおいても側部開口部Ｓ１１は、挟持部２５の挟持空間部２３Ａに対して前脚Ｒ１１を着脱する際の着脱口として機能する。
また、挟持部２５と当付面１９とで、後脚Ｒ１２が挟持されると、挟持部２５の右端部を支点として、挟持部２５は、当付面１９から離間するように弾性変形する。つまり、挟持部２５は、弾性をもって後脚Ｒ１２を挟持する。
【００６３】
本実施形態においても、側部開口部Ｓ１１の上下方向の間隔は、前脚Ｒ１１の上下方向の厚み寸法よりも小さい寸法に設定されている。したがって、挟持空間部２３Ａに前脚Ｒ１１が挟持されると、側部開口部Ｓ１１の上下方向の間隔が前脚Ｒ１１の上下方向の厚み寸法よりも小さい寸法に閉じることとなる。したがって、挟持空間部２３Ａから前脚Ｒ１１が抜け難くなっている。また、後側の本体１１Ａについても同様であり、側部開口部Ｓ１１の上下方向の間隔は、後脚Ｒ１２の上下方向の厚み寸法よりも小さい寸法に設定されている。
【００６４】
挟持部２５の軸方向の断面は、図示はしないが、前脚Ｒ１１の軸方向の外形状に対応している。つまり、挟持部２５の軸方向の断面は、前脚Ｒ１１の軸方向の外形状に倣って前端部２５ｂから後端部２５ｃに向けて挟持空間部２３が漸次大きくなるように形成されている。言い換えると、挟持部２５の内面は、前側から後側に向けて下方に位置しており、下り傾斜面となっている。このため、挟持部２５の内面と当付面１９との距離は、後方に向かうにつれて次第に大きくなり、前脚Ｒ１１の軸方向の外形状に沿ったものとなっている。このため、密着性が高まり、ガタツキ難くなっている。
【００６５】
また、挟持部２５の径方向の断面は、図１０（ｃ）に示すように、前脚Ｒ１１（不図示）の径方向の外形状に対応している。つまり、挟持部２５の径方向の断面は、前脚Ｒ１１の径方向の外形状に倣って内面が湾曲凹状に形成されている。言い換えると、挟持部２５の内面は、左右方向の中央部から左右両側に向けて上方に位置しており、湾曲した傾斜面となっている。このため、挟持部２５の内面と当付面１９との距離は、中央部から左右両側に向かうにつれて次第に小さくなり、前脚Ｒ１１の径方向の外形状に沿ったものとなっている。このため、密着性が高まり、ガタツキ難くなっている。
なお、後側の本体１１Ａの挟持部２５も同様の構成であり、後脚Ｒ１２の軸方向の外形状および径方向の外形状に沿ったものとなっている。このため、密着性が高まり、ガタツキ難くなっている。
【００６６】
リール固定装置１０Ａは、図８に示すように、挟持部２５の後端部２５ｃ同士が前後に対向する位置関係で本体１１Ａ，１１Ａが竿杆１に固定される。つまり、後側の本体１１Ａは、前側の本体１１Ａを水平方向に１８０度回転させた状態で竿杆１に固定される。
【００６７】
以上説明した本実施形態のリール固定装置１０Ａでは、前記した第１実施形態と同様の作用効果が得られる。さらに、本実施形態のリール固定装置１０Ａでは、本体１１Ａが一体に設けられているものに比べて軽量化を図ることができる。また、一対の本体１１Ａの間隔を調整して竿杆１に固定することで、釣竿取付脚Ｒ１の軸方向の大きさに対応したリール固定装置１０Ａを容易に作成することができる。
【００６８】
図１１〜図１４に変形例のリール固定装置を示す。図１１に示す第１変形例のリール固定装置１０Ｂは、第１実施形態のリール固定装置１０の変形例である。
図１１（ａ）に示すように、本変形例のリール固定装置１０Ｂは、当付面１６，１７にリブ１６Ｂ，１７Ｂが設けられている。
【００６９】
リブ１６Ｂ，１７Ｂは、リール固定装置１０Ｂの軸方向に延在し、当付面１６，１７の下方へ向けて膨出している。リブ１６Ｂ，１７Ｂは、図１１（ｂ）（ｃ）に示すように、釣竿取付脚Ｒ１の湾曲した上面Ｒ１５に対応して断面湾曲状に形成されている（図１１（ｂ）（ｃ）ではリブ１６Ｂのみ図示、以下同じ）。リブ１６Ｂ，１７Ｂは、図１１（ｃ）に示すように、前挟持部２０および後挟持部３０内に挟持された釣竿取付脚Ｒ１の上面Ｒ１５に当接する。
【００７０】
以上のような第１変形例のリール固定装置１０Ｂでは、リブ１６Ｂ，１７Ｂによって釣竿取付脚Ｒ１をより好適に挟持することができる。したがって、リール固定装置１０Ｂから釣竿取付脚Ｒ１が外れ難くなる。したがって、魚釣り操作性が高まる。
【００７１】
また、リブ１６Ｂ，１７Ｂは、断面湾曲状に膨出している。これにより、釣竿取付脚Ｒ１の着脱時に前脚Ｒ１１および後脚Ｒ１２がリブ１６Ｂ，１７Ｂを乗り越え易い。したがって、着脱時の操作容易性を確保しながら、釣竿取付脚Ｒ１に対する挟持力を向上させることができる。
【００７２】
図１２（ａ）に示す第２変形例のリール固定装置１０Ｃは、第１実施形態のリール固定装置１０の変形例であり、本体１１Ｃの後部１３に固定フード４０を備えている。
固定フード４０は、釣竿取付脚Ｒ１の後脚Ｒ１２（図１３参照）を保持する保持空間部４１を備えている。後脚Ｒ１２は、固定フード４０の前面に形成された開口部４２を通じて保持空間部４１に挿入される。
【００７３】
一方、図１２（ｂ）に示す第３変形例のリール固定装置１０Ｄは、第２変形例のリール固定装置１０Ｃとは逆に、本体１１Ｄの前部１２に固定フード４０Ａを備えている。
固定フード４０Ａは、釣竿取付脚Ｒ１の前脚Ｒ１１（不図示）を保持する保持空間部４１Ａを備えている。前脚Ｒ１１は、固定フード４０Ａの後面に形成された開口部４２Ａを通じて保持空間部４１Ａに挿入される。
【００７４】
次に、第２変形例のリール固定装置１０Ｃにおける釣竿取付脚Ｒ１の取り付けについて、図１３（ａ）（ｂ）を参照して説明する。
初めに、一方の手でリール固定装置１０Ｃ（竿杆１）を把持し、他方の手で魚釣用スピニングリールＲを持ち、リール固定装置１０Ｃの下面側に魚釣用スピニングリールＲの釣竿取付脚Ｒ１を近付ける。
【００７５】
そして、図１３（ａ）に示すように、本体１１Ｃの後部１３の固定フード４０に釣竿取付脚Ｒ１の後脚Ｒ１２を挿し込む。その後、後脚Ｒ１２を支点として、魚釣用スピニングリールＲを前挟持部２０に向けて図中矢印方向に回動させ、側部開口部Ｓ１を通じて前脚Ｒ１１を側方から前挟持部２０の挟持空間部」２３に進入させる（図１３（ｂ）参照）。これにより、前脚Ｒ１１が当付面１６と前挟持部２０とで挟持される。
以上の操作により、リール固定装置１０Ｃに釣竿取付脚Ｒ１を固定することができる。
【００７６】
第２変形例および第３変形例のリール固定装置１０Ｃ，１０Ｄでは、固定フード４０，４０Ａに釣竿取付脚Ｒ１の一端を保持しながら、魚釣用スピニングリールＲを回動させることができるので、回動操作が安定し、釣竿取付脚Ｒ１をより簡単に固定することができる。
【００７７】
また、固定フード４０，４０Ａから釣竿取付脚Ｒ１の一端が抜け難いので、魚釣り操作性が向上する。
【００７８】
図１４に示す第４変形例のリール固定装置１０Ｅは、第１実施形態のリール固定装置１０の変形例であり、樹脂製の本体１１Ｅに一体的に設けられた前挟持部２０および後挟持部３０に金属製の芯材５０が備わる。
【００７９】
芯材５０は、板状を呈しており、前挟持部２０および後挟持部３０にインサート成形されている。芯材５０の端部５１は、前部１２内および後部１３内に延在して埋設されている。これにより、芯材５０の支持強度が高められている。なお、前挟持部２０および後挟持部３０は、芯材５０を備えつつ弾性を保持しており、釣竿取付脚Ｒ１に対する挟持性を好適に維持している。
【００８０】
このような第４変形例のリール固定装置１０Ｅでは、前挟持部２０および後挟持部３０の強度向上を図ることができ、耐久性が向上する。したがって、長期的に安定した釣竿取付脚Ｒ１の挟持を実現することができる。
【００８１】
以上、本発明の実施形態について説明したが、本発明は前記実施形態で説明した例に限定されない。
例えば、第１実施形態における側部開口部Ｓ１，Ｓ２、第２実施形態における側部開口部Ｓ１１，Ｓ１１は、相反する側に設けたものを示したが、これに限られることはなく、同じ側に開口するように設けてもよい。
【００８２】
また、第１実施形態では、挟持部を前挟持部２０と後挟持部３０との２つの挟持部で示したが、３つ以上で構成してもよい。例えば、前挟持部２０および後挟持部３０を２つづつ配置してもよい。この場合には、釣竿取付脚Ｒ１における脚部Ｒ３の近傍部分を積極的に挟持するように構成してもよい。
同様に、第２実施形態においても、本体１１Ａを３つ以上用意して、各挟持部２５で釣竿取付脚Ｒ１を挟持するように構成してもよい。
【００８３】
また、第１実施形態では、前挟持部２０と後挟持部３０との軸方向の長さ（挟持空間部２３，３３の大きさ）を同じ大きさに設定したが、これに限られることはなく、前後で異ならせても差し支えない。このことは、第２実施形態についても同様である。
【００８４】
また、第１実施形態における前挟持部２０の前部開口部および後挟持部３０の後部開口部は閉じられている構成であってもよい。同様に、第２実施形態における前側の挟持部２５の前部開口部および後側の後部開口部は、閉じられている構成であってもよい。
【００８５】
また、第１実施形態における前挟持部２０および後挟持部３０、第２実施形態における挟持部２５は、帯状（舌片状）のものを示したが、これに限られることはなく、線状（棒状、複数の棒状）であってもよい。
【００８６】
また、第１実施形態における前挟持部２０および後挟持部３０、第２実施形態における挟持部２５は、径方向の断面形状が弧状のものを示したが、これに限られることはなく、本体１１，１１Ａの側方から着脱できるものであれば、略Ｌ字形状や凹状であってもよい。
【００８７】
また、三方に開口部を形成する構成としたが、これに限られることはなく、前挟持部２０の前端部２０ａや後挟持部３０の後端部３０ｂ、挟持部２５の前端部２５ｂは、閉じられている構成であってもよい。
【００８８】
また、第１実施形態において、側部開口部Ｓ１における当付面１６の右縁部１６ｂや、側部開口部Ｓ２における当付面１７の左縁部１７ａに、部分的にあるいは全体的に突部（隆起部）を設けてもよい。このように構成することによって、釣竿取付脚Ｒ１の取り付け後に突部の前脚Ｒ１１の側部や後脚Ｒ１２の側部が突部に引っ掛かる状態となり、リール固定装置１０から釣竿取付脚Ｒ１が外れ難くなる。
また、同様に、第２実施形態において、前側の側部開口部Ｓ１１における当付面１９の右縁部１９ｂや、後側の側部開口部Ｓ１１における当付面１９の左縁部１９ａに対して、部分的にあるいは全体的に突部（隆起部）を設けてもよい。
【００８９】
さらに、第１，第２実施形態において、当付面１６，１７，１９は、いずれも平らな面としたが、これに限られることはなく、側部開口部Ｓ１，Ｓ２，Ｓ１１から釣竿取付脚Ｒ１の進入方向に向けて上り傾斜状の緩い斜面としてもよい。このように構成することによって、進入方向に向けて挟持空間部２３，３３，２３Ａの高さ方向のスペースが拡がることとなる。したがって、釣竿取付脚Ｒ１の取り付けをスムーズに行うことができる。また、挟持空間部２３，３３，２３Ａは、側部開口部Ｓ１，Ｓ２，Ｓ１１に向けてが窄まる状態となるので、取り付け後にリール固定装置１０から釣竿取付脚Ｒ１が外れ難くなる。
なお、上り傾斜状の緩い斜面は、当付面１６，１７，１９の全体に形成するものに限られることはなく、釣竿取付脚Ｒ１の進入方向に向けて当付面１６，１７，１９の中央部付近に至る領域に形成してもよい。
また、上り傾斜状の緩い斜面は、前記突部に連続するように形成してもよいし、当付面１６，１７，１９の一部に設けてもよい。
【００９０】
また、前記実施形態や変形例では、魚釣用スピニングリールＲの釣竿取付脚Ｒ１が取り付けられるものを示したが、これに限られることはなく、両軸受け型の魚釣用リールの釣竿取付脚が取り付けられるリール固定装置に対しても好適に適用することができる。
【符号の説明】
【００９１】
１      竿杆
１０    リール固定装置
１１    リールシート本体（本体）
１６，１７    当付面
１９    当付面
２０    前挟持部（挟持部）
２５    挟持部
３０    後挟持部（挟持部）
Ｒ      魚釣用スピニングリール（魚釣用リール）
Ｒ１    釣竿取付脚
Ｒ１１  前脚
Ｒ１２  後脚
Ｓ１，Ｓ２，Ｓ１１    開口部
【図１】
2018143222.tif 000003
【図２】
2018143222.tif 000004
【図３】
2018143222.tif 000005
【図４】
2018143222.tif 000006
【図５】
2018143222.tif 000007
【図６】
2018143222.tif 000008
【図７】
2018143222.tif 000009
【図８】
2018143222.tif 000010
【図９】
2018143222.tif 000011
【図１０】
2018143222.tif 000012
【図１１】
2018143222.tif 000013
【図１２】
2018143222.tif 000014
【図１３】
2018143222.tif 000015
【図１４】
2018143222.tif 000016